(57)【特許請求の範囲】
【請求項１】
歩道橋の高欄に取り付ける制振装置であって、
断面が矩形状の上側パイプ、下側パイプ、両側パイプの４本を接合して形成された枠体と、該枠体の裏面に固着された裏板と、前記枠体の前面に着脱自在に取り付けられた蓋板とにより構成され、幅より高さが小さく、さらに奥行が小さい前後方向が扁平な直方体形状の箱体と、
該箱体内の両側に上下方向に固定され、上・下端部が前記上側パイプ・前記下側パイプの内面に固着された支持具により支持されたガイドを構成する固定支柱と、
幅より高さが小さく、さらに奥行が小さい前後方向が扁平な横長直方体形状のブロック状重錘と、
該重錘の両側部に形成された上下方向の透孔と、
該透孔の上端部・下端部に取り付けられ、前記固定支柱が挿入され、前記重錘を前記固定支柱をガイドとして上下動自在にしたリニアブッシュと、
前記重錘にボルトにより取り付けられた複数枚の調整錘と、
前記両固定支柱の内方に位置し、前記重錘の下面と前記下側パイプの上面、または前記重錘の上面と前記上側パイプの下面、あるいは前記重錘の下面及び上面と、前記下側パイプの上面及び前記上側パイプの下面の両方との間に設けられたばねと、
前記重錘の上下動の振動を減衰する減衰器と、
前記両側パイプの外面の上端部及び下端部に固着された取付アングルと
を備えたことを特徴とする制振装置。
【請求項２】
減衰器が、
箱体の枠体を形成した両側パイプ内面の上部・下部に固着された固着板と、
両側の上・下の前記固着板に前後方向に調整自在に取り付けられた両側の上・下の支持板と、
該上・下の支持板に固着された上・下の取付板と、
上端部・下端部が前記上・下の取付板に左右方向に調整自在に取り付けられた前記枠体に平行な上下方向の固定銅板と、
前記重錘の両側面に前記枠体に平行に突設され、前記固定銅板の前方に位置した固定鉄板と、
前記鉄板の前記固定銅板側の面に固着され、前記固定銅板の前方に位置した複数個の永久磁石と
からなることを特徴とする請求項１記載の制振装置。
【請求項３】
減衰器が、
箱体の枠体を形成した両側パイプ内面の上部・下部に固着された固着板と、
両側の上・下の前記固着板に前後方向に調整自在に取り付けられた両側の上・下の支持板と、
該上・下の支持板に固着された上・下の取付板と、
上端部・下端部が前記上・下の取付板に左右方向に調整自在に取り付けられた前記枠体に平行な上下方向の固定銅板と、
前記重錘の両側面に前記枠体に平行に突設され、前記固定銅板の前方と後方に位置したほぼ正方形の２枚ずつの固定鉄板と、
前記各鉄板の前記固定銅板側の面に固着され、前記固定銅板の前方及び後方に前記固定銅板を挟むようにして位置した複数個の永久磁石と
からなることを特徴とする請求項１記載の制振装置。
【請求項４】
請求項１、２または３記載の制振装置の箱体の枠体を形成した両側パイプの上部取付アングルが、床板両側の高欄笠木の下面に付けられ、
前記両側パイプの下部取付アングルが、前記床板の上面に付けられ、
前記制振装置が前記高欄に平行に取り付けられ、
前記箱体の蓋板が歩道側に位置し、
前記制振装置の奥行が前記高欄の奥行より大きくなく、
前記制振装置の前面が前記高欄の内面より出ない
ことを特徴とする歩道橋。
【発明の詳細な説明】
【０００１】
【発明の属する技術分野】
本発明は、歩道橋に簡単に適用できる制振装置（同調質量ダンパー）及びその制振装置を取り付けた歩道橋に関する。
【０００２】
【従来の技術】
一般に比較的長い歩道橋においては、橋桁の固有振動数が歩行者の歩調に近づくことになり、歩行による振動が大きくなる。
【０００３】
ところで、規模が大きい歩道橋では、断面が箱桁で構成されているため、箱桁の空間部が大きく、その空間部に制振装置が設置されている。
【０００４】
【発明が解決しようとする課題】
規模が小さい歩道橋では、桁構造が開断面のＩ桁であり、桁高さが低いため、歩道橋の床板とＩ桁で構成される床下空間に制振装置を組み込むことができないという問題点がある。
【０００５】
一方、前記の規模が大きい歩道橋では、当初から制振装置を設置することがあるが、設計その他の理由により制振結果が不都合の場合、桁の断面を変更して曲げ剛性を増大することは、大変なことであり、大幅なコスト高になるという問題点がある。
【０００６】
本発明は、前記の点に留意し、小規模の歩道橋にも容易に設置できるほか、既設の歩道橋に対しても簡単に取り付けでき、歩行者の歩行に影響を与えなく、歩道橋に簡単に設置できる制振装置を提供し、かつ、その制振装置を取り付けた歩道橋を提供することを目的とする。
【０００７】
【課題を解決するための手段】
前記目的を達成するために、本発明の制振装置は、
歩道橋の高欄に取り付ける制振装置であって、
断面が矩形状の上側パイプ、下側パイプ、両側パイプの４本を接合して形成された枠体と、該枠体の裏面に固着された裏板と、前記枠体の前面に着脱自在に取り付けられた蓋板とにより構成され、幅より高さが小さく、さらに奥行が小さい前後方向が扁平な直方体形状の箱体と、
該箱体内の両側に上下方向に固定され、上・下端部が前記上側パイプ・前記下側パイプの内面に固着された支持具により支持されたガイドを構成する固定支柱と、
幅より高さが小さく、さらに奥行が小さい前後方向が扁平な横長直方体形状のブロック状重錘と、
該重錘の両側部に形成された上下方向の透孔と、
該透孔の上端部・下端部に取り付けられ、前記固定支柱が挿入され、前記重錘を前記固定支柱をガイドとして上下動自在にしたリニアブッシュと、
前記重錘にボルトにより取り付けられた複数枚の調整錘と、
前記両固定支柱の内方に位置し、前記重錘の下面と前記下側パイプの上面、または前記重錘の上面と前記上側パイプの下面、あるいは前記重錘の下面及び上面と、前記下側パイプの上面及び前記上側パイプの下面の両方との間に設けられたばねと、
前記重錘の上下動の振動を減衰する減衰器と、
前記両側パイプの外面の上端部及び下端部に固着された取付アングルと
を備えたことを特徴とするものである。（請求項１）。
【０００８】
以上のように構成された本発明の制振装置は、重錘とばねと減衰器を収納した箱体が、断面が矩形状の上側パイプ、下側パイプ、両側パイプの４本を接合して形成された枠体と、該枠体の裏面に固着された裏板と、前記枠体の前面に着脱自在に取り付けられた蓋板とにより構成され、幅より高さが小さく、さらに奥行が小さい前後方向が扁平な直方体形状に形成されているため、歩道橋の高欄に、高欄に平行に、即ち高欄を構成する空間に、埋め込んだ形で容易に取り付けることができるようになり、歩行者の歩行に影響を与えなく、外観も良好であり、新設は勿論既設の歩道橋に簡単に取り付けることができる。
【０００９】
さらに、箱体の前面蓋板の開放または取り外しにより、メンテナンス及び調整・修理がきわめて容易である。
【００１０】
また、固定支柱が、箱体内の両側に上下方向に固定され、上・下端部が上側パイプ・下側パイプの内面に固着された支持具により支持され、重錘が、幅より高さが小さく、さらに奥行が小さい前後方向が扁平な横長直方体形状のブロック状に形成され、重錘の両側部に形成された上下方向の透孔の上端部・下端部にリニアブッシュが取り付けられ、そのリニアブッシュに固定支柱が挿入され、重錘を固定支柱をガイドとして上下動自在にし、重錘の上面にボルトにより複数枚の調整錘が取り付けられ、両固定支柱の内方に、重錘の下面と下側パイプの上面、または重錘の上面と上側パイプの下面、あるいは重錘の下面及び上面と、下側パイプの上面及び上側パイプの下面の両方との間にばねが設けられ、重錘の上下動の振動を減衰する減衰器が設けられているため、制振装置の種々の構成物を、箱体にコンパクトに収納することができ、箱体に種々の構成物が一体に収納されているため、制振装置の移動、運搬等が簡単で、取扱いが容易である。
その上、箱体の枠体を形成した両側パイプの外面の上端部及び下端部に取付アングルが固着されているため、制振装置を歩道橋の高欄に簡単に取り付けることができる。
【００１１】
さらに、減衰器を、箱体の枠体を形成した両側パイプ内面の上部・下部に固着された固着板と、両側の上・下の固着板に前後方向に調整自在に取り付けられた両側の上・下の支持板と、上・下の支持板に固着された上・下の取付板と、上端部・下端部が上・下の取付板に左右方向に調整自在に取り付けられた枠体に平行な上下方向の固定銅板と、重錘の両側面に枠体に平行に突設され、固定銅板の前方に位置した固定鉄板と、鉄板の固定銅板側の面に固着され、固定銅板の前方に位置した複数個の永久磁石とにより構成することが好ましい。（請求項２）。この場合、減衰器を簡単な構造で安価にすることができる。
また、固定鉄板を固定銅板の前方と後方とに設け、永久磁石を、各鉄板の固定銅板側の面に、固定銅板の前方及び後方に固定銅板を挟むように設けることが望ましい。（請求項３）。
【００１２】
その上、前記制振装置の箱体の枠体を形成した両側パイプの上部取付アングルを、床板両側の高欄笠木の下面に取り付け、両側パイプの下部取付アングルを、床板の上面に取り付け、制振装置を前記高欄に平行に取り付け、箱体の蓋板を歩道側に位置させ、制振装置の奥行が高欄の奥行より大きくなく、制振装置の前面が高欄の内面より出ないようにすることにより、取り付け作業が殆ど床板上となり、作業が容易で安全であり、新設・既設を問わず、歩道橋に制振装置を簡単に取り付けることができ、かつ、歩行者の歩行に影響を与えなく、外観も良好である。
【００１３】
【発明の実施の形態】
本発明の制振装置の実施の１形態を図１ないし図４を参照して説明する。１は箱体であり、幅及び高さに対し奥行が小さい前後方向が扁平な直方体形状であり、断面が矩形状の４本のパイプ２を接合して枠体３を形成し、枠体３の幅が高さより若干長く、枠体３の裏面に裏板４が固着され、枠体３の前面に蓋板５が着脱自在に取り付けられ、枠体３・裏板４・蓋板５により箱体１が構成されている。
【００１４】
６はガイドを構成する固定支柱であり、箱体１内の両側に上下方向に固定され、上・下端部が上側・下側パイプ２の内面に固着された支持具７により支持されている。
【００１５】
８はブロック状の重錘であり、幅より高さが小さく、さらに奥行が小さい前後方向が扁平な横長の直方体形状であり、両側部に上下方向の透孔９が形成されている。１０は透孔９の上端部・下端部に取り付けられたリニアブッシュであり、固定支柱６がリニアブッシュ１０を介して透孔９に挿入され、重錘８が固定支柱６をガイドとして上下動自在になっている。
【００１６】
１１は重錘８の上面にボルト１２により取り付けられた複数枚の調整錘であり、適宜増減して重錘８の重量が調整される。１３は重錘８の下面と枠体３内の下面、即ち下側パイプ２の上面との間に設けられた２個の圧縮ばねであり、両固定支柱６の内方に位置し、ばね１３の上端・下端は、重錘８及び下側パイプ２に固定されたばね支持具１４により支持されている。
【００１７】
１５は両側パイプ２内面の上部・下部に固着された固着板、１６は支持板であり、Ｌ形の取付板１７が一体に固着されている。１８は枠体３に平行な上下方向の固定銅板であり、銅板１８の上端部・下端板が上・下の取付板１７に左右方向に調整自在に取り付けられ、上・下の支持板１６が固着板１５に前後方向に調整自在に取り付けられている。
【００１８】
１９は重錘８の両側面に突設されたほぼ正方形の２枚ずつの鉄板であり、枠体３に平行であり、縦長の基板２０に直角方向に固着され、基板２０と鉄板１９のほぼ中央部に水平方向の補強板２１が固着され、２枚の鉄板１９が固定銅板１８の前方と後方とに位置している。２２は複数個の永久磁石であり、鉄板１９の固定銅板１８側の面に固着され、各永久磁石２２が、隙間を設けて固定銅板１８の前方及び後方に固定銅板１８を挟むようにして位置し、固定銅板１８と各永久磁石２２とにより減衰器が構成されている。
【００１９】
２３は上側パイプ２の下面中央部に固着された断面Ｕ字形の支持金具、２４は支持金具２３の下面に固着されたストッパであり、調整錘１１の上面が当接し、重錘８の上動位置を規制する。２５は取付アングルであり、両側パイプ２の外面の上端部・下端部に固着されている。
【００２０】
つぎに、前記形態の制振装置を歩道橋に取り付けた場合を、図５及び図６を参照して説明する。
２６は歩道橋、２７は歩道橋２６の桁、２８は床板、２９は床板２８の両側の高欄、３０は高欄２９の笠木（手摺）、３１は笠木３０の支柱、３２は中貫、３３は縦さんであり、前記制振装置３４が、両側上部の取付アングル２５が笠木３０の下面に、両側下部の取付アングル２５が床板２８の上面に、それぞれボルト等により付けられ、蓋板５が歩道側に位置し、高欄２９の奥行と制振装置３４の奥行は同一か、制振装置３４の方が小さく、制振装置３４の前面が高欄２９の内面より歩道側へ出なく、歩行の妨げにならない。
【００２１】
図７は既設の歩道橋２６の高欄２９を示し、この場合、図示の斜線部を除去することにより、簡単に制振装置３４を取り付けることができる。
【００２２】
そして、前記制振装置３４は、各永久磁石２２が重錘８とともに上下に振動し、各永久磁石２２と固定銅板１８の相対速度に比例した減衰力が得られる。
【００２３】
つぎに、重錘８は重い程制振効果が大きいが、歩道橋２６の振動重量に対し約１％の重量で、制振装置を付けない場合の振動を、１０分の１程度に抑制できる。
【００２４】
また、ばね１３の強さは、重錘８の振動が桁の振動とほぼ一致するよう設計し、重錘８の下方の前記圧縮ばね１３のほか、重錘８の上方にもばねを設置する場合もある。あるいは、重錘８を重錘８の上方のばねのみにより吊るようにしてもよい。
【００２５】
さらに、減衰器について、固定銅板１８と各永久磁石２２から構成される磁気ダンパーについて説明したが、この磁気ダンパーはメンテナンスが不要である。この磁気ダンパーの代りにエアダンパー・オイルダンパーを適用することもできる。
【００２６】
【発明の効果】
本発明は、以上説明したように構成されているので、以下に記載されるような効果を奏する。
請求項１に記載の制振装置は、重錘とばねと減衰器を収納した箱体が、断面が矩形状の上側パイプ、下側パイプ、両側パイプの４本を接合して形成された枠体と、該枠体の裏面に固着された裏板と、前記枠体の前面に着脱自在に取り付けられた蓋板とにより構成され、幅より高さが小さく、さらに奥行が小さい前後方向が扁平な直方体形状に形成されているため、歩道橋の高欄に、高欄に平行に、即ち高欄を構成する空間に、埋め込んだ形で容易に取り付けることができるようになり、歩行者の歩行に影響を与えなく、外観も良好であり、新設は勿論既設の歩道橋に簡単に取り付けることができる。
【００２７】
さらに、箱体１の前面蓋板５の開放または取り外しにより、メンテナンス及び調整・修理がきわめて容易である。
【００２８】
つぎに、請求項２に記載の制振装置は、請求項１記載の減衰器を、箱体の枠体を形成した両側パイプ内面の上部・下部に固着された固着板と、両側の上・下の固着板に前後方向に調整自在に取り付けられた両側の上・下の支持板と、上・下の支持板に固着された上・下の取付板と、上端部・下端部が上・下の取付板に左右方向に調整自在に取り付けられた枠体に平行な上下方向の固定銅板と、重錘の両側面に枠体に平行に突設され、固定銅板の前方に位置した固定鉄板と、鉄板の固定銅板側の面に固着され、固定銅板の前方に位置した複数個の永久磁石とにより構成することが好ましい。この場合、減衰器を簡単な構造で安価にすることができる。
【００２９】
また、請求項３に記載の制振装置は、請求項２に記載の減衰器において、固定鉄板を固定銅板の前方と後方とに設け、永久磁石を、各鉄板の固定銅板側の面に、固定銅板の前方及び後方に固定銅板を挟むように設けることが望ましい。
【００３０】
そして、請求項４に記載の歩道橋は、請求項１、２または３記載の制振装置を用い、その制振装置の箱体の枠体を形成した両側パイプの上部取付アングルを、床板両側の高欄笠木の下面に取り付け、両側パイプの下部取付アングルを、床板の上面に取り付け、制振装置を高欄に平行に取り付け、箱体の蓋板を歩道側に位置させ、制振装置の奥行が高欄の奥行より大きくなく、制振装置の前面が高欄の内面より出ないようにすることにより、取り付け作業が殆ど床板上となり、作業が容易で安全であり、新設・既設を問わず、歩道橋に制振装置を簡単に取り付けることができ、かつ、歩行者の歩行に影響を与えなく、外観も良好である。
【図面の簡単な説明】
【図１】本発明の制振装置の実施の１形態の蓋板を除去した一部切断正面図である。
【図２】Ａ、Ｂは図１の平面図及びIIＢ−IIＢ線断面図である。
【図３】Ａ、Ｂ、Ｃは図１の右側面図、IIIＢ−IIIＢ線断面図及びIIIＣ−IIIＣ線断面図である。
【図４】図２Ｂの一部の拡大図である。
【図５】本発明の歩道橋の１例の正面図である。
【図６】Ａ、Ｂは図５の一部の拡大図及び同切断側面図である。
【図７】歩道橋の一部の正面図である。
【符号の説明】
１  箱体
６  固定支柱
８  重錐
９  透孔
１３  ばね
１８  固定銅板
１９  鉄板
２２  永久磁石
【図１】
0003604077.tif 000002
【図２】
0003604077.tif 000003
【図３】
0003604077.tif 000004
【図４】
0003604077.tif 000005
【図５】
0003604077.tif 000006
【図６】
0003604077.tif 000007
【図７】
0003604077.tif 000008